(57)【特許請求の範囲】
【請求項１】
入力信号と関連付けられた１つまたは複数の値をバッファすることと、
前記１つまたは複数のバッファされた値の少なくとも一部への、１つまたは複数の見積られた供給電圧値を含むシステム応答を予測することと、
前記見積られた供給電圧値と１つまたは複数の境界値とを比較すること、ここにおいて、前記比較することは、
前記入力信号と関連付けられた前記バッファされた１つまたは複数の値に少なくとも部分的に基づく前記１つまたは複数の見積られた供給電圧値の各々を、対応する境界値と比較することと、
前記１つまたは複数の見積られた供給電圧値のいずれかの見積られた供給電圧値が、前記対応する境界値の許容しきい値内にあるかどうかを決定することと、
を備える、と、
前記比較が許容内にある時、
前記システム応答に基づいてスイッチャ制御信号を生成することと、
前記スイッチャ制御信号に基づいて供給電圧を出力するために電力増幅器スイッチャを構成することと、
を備える、通信の方法。
【請求項２】
前記システム応答を予測することは、
前記１つまたは複数の見積られた供給電圧値を生成するためのシステム構成に基づいて応答関数を使用することをさらに備え、ここにおいて、前記システムは、ローパスフィルタおよび電力増幅器（ＰＡ）を含む、請求項１に記載の方法。
【請求項３】
前記生成することは、前記１つまたは複数の見積られた供給電圧値のいずれかが前記対応する境界値の前記許容しきい値内にあると決定すると、前記電力増幅器スイッチャに電源経路を使用することを要求するデジタルビット値を有する前記スイッチャ制御信号を生成することをさらに備える、または、
前記生成することは、前記１つまたは複数の見積られた供給電圧値のどれも前記対応する境界値の前記許容しきい値内にないと決定すると、前記電力増幅器スイッチャにグラウンドソース経路を使用することを要求する値を有する前記スイッチャ制御信号を生成することをさらに備える、
請求項２に記載の方法。
【請求項４】
前記スイッチャ制御信号を前記電力増幅器スイッチャに提供すること、
をさらに備える、請求項１に記載の方法。
【請求項５】
１つまたは複数の状態レジスタ値によってシステム状態を追跡することをさらに備え、ここにおいて、前記システムは、ローパスフィルタおよび電力増幅器（ＰＡ）を含む、請求項１に記載の方法。
【請求項６】
前記入力信号と関連付けられた前記１つまたは複数の値から予測供給電圧を生成することと、
前記予測供給電圧をプレディストーションモジュールに提供することと、
をさらに備える、請求項１に記載の方法。
【請求項７】
前記入力信号の１つの谷に対する少なくとも１つの主要なピークが前記バッファに保存されることを可能にするのに十分な複数の連続したサンプル値を受信することをさらに備える、請求項６に記載の方法。
【請求項８】
入力信号と関連付けられた１つまたは複数の値をバッファするための手段と、
前記１つまたは複数のバッファされた値の少なくとも一部への、１つまたは複数の見積られた供給電圧値を含むシステム応答を予測するための手段、前記予測するための手段は、前記見積られた供給電圧値と１つまたは複数の境界値とを比較するように構成され、ここにおいて、前記システム応答を予測するための手段は、
前記入力信号と関連付けられた前記バッファされた１つまたは複数の値に少なくとも部分的に基づく前記１つまたは複数の見積られた供給電圧値の各々を、対応する境界値と比較し、
前記１つまたは複数の見積られた供給電圧値のいずれかの見積られた供給電圧値が、前記対応する境界値の許容しきい値内にあるかどうかを決定する、
ように構成される、と、
前記比較が許容内にある時、前記システム応答に基づいてスイッチャ制御信号を生成するための手段と、
前記スイッチャ制御信号に基づいて供給電圧を出力するために電力増幅器スイッチャを構成するための手段と、
を備える、通信の装置。
【請求項９】
前記システム応答を予測するための手段は、
前記１つまたは複数の見積られた供給電圧値を生成するためのシステム構成に基づいて応答関数を使用するように構成され、ここにおいて、前記システムは、ローパスフィルタおよび電力増幅器（ＰＡ）を含む、請求項８に記載の装置。
【請求項１０】
前記システム応答を予測するための手段は、前記１つまたは複数の見積られた供給電圧値のいずれかが前記対応する境界値の前記許容しきい値内にあると決定すると、前記電力増幅器スイッチャに電源経路を使用することを要求するデジタルビット値を有する前記スイッチャ制御信号を生成するように構成される、または、
前記システム応答を予測するための手段は、前記１つまたは複数の見積られた供給電圧値のどれも前記対応する境界値の前記許容しきい値内にないと決定すると、前記電力増幅器スイッチャにグラウンドソース経路を使用することを要求する値を有するスイッチャ制御信号を生成するように構成される、請求項９に記載の装置。
【請求項１１】
前記スイッチャ制御信号を前記電力増幅器スイッチャに提供するための手段、
をさらに備える、請求項８に記載の装置。
【請求項１２】
前記バッファするための手段は、１つまたは複数の状態レジスタ値によってシステム状態を追跡するようにさらに構成され、ここにおいて、前記システムは、ローパスフィルタおよび電力増幅器（ＰＡ）を含む、請求項８に記載の装置。
【請求項１３】
前記予測するための手段は、
前記入力信号と関連付けられた前記１つまたは複数の値から予測供給電圧を生成し、
前記予測供給電圧をプレディストーションモジュールに提供する、
ようにさらに構成される、請求項８に記載の装置。
【請求項１４】
前記バッファするための手段は、前記入力信号の１つの谷に対する少なくとも１つの主要なピークが前記バッファに保存されることを可能にするのに十分な複数の連続したサンプル値を受信するようにさらに構成される、請求項１３に記載の装置。
【請求項１５】
請求項１から請求項９のうちのいずれかのステップを実行するためのコードを備えるコンピュータ読取可能な記憶媒体。
【発明の詳細な説明】
【技術分野】
【０００１】
[0001]  開示される態様は、一般的に電力増幅器（ＰＡ）を使用した通信を可能にすることに関し、具体的にはＰＡスイッチャのための制御信号、および／またはＰＡと関連付けられたデジタルプレディストーションモジュールのための予測供給電圧（predicted supply voltage）を予測するための方法およびシステムに関する。
【背景技術】
【０００２】
[0002]  現在のＰＡ制御装置および方法は、一般的に、４つのＰＡ制御スキームの１つまたは複数の組み合わせを使用するように構成される。第１に、バッテリダイレクトスキーム（battery direct scheme）は、バッテリをＰＡに直接接続する。これは、最大電力が必要とされるときに効率的であり得るが、より低い電力では、最大バッテリ電圧を使用することが必要ではないため、効率は急速に低下する。第２に、平均パワートラッキング（ＡＰＴ：average power tracking）スキームは、バッテリとＰＡとの間の第三者スイッチャ（third party switcher）を使用し、電力制御グループ間の電圧を変えるためのアルゴリズムを使用する。バッテリダイレクトスキームと比較すると、より低い電力では、ＰＡ電圧は相応に減少するため、効率はより少しずつ低下する。第３に、スーパーＡＰＴ（ＳＡＰＴ）スキームは、様々な電圧制御グループごとに電圧を変えるためにアルゴリズムを使用し、電圧を限界まで絞るためにプレディストーション（predistortion）およびアダプティブネス（adaptiveness）も使用する。第４に、エンベロープトラッキング（ＥＴ）は、高速および高精度で信号エンベロープを追跡するために、別個のチップセットを使用する。このスキームは、ＥＴ使用のための最適化されたＰＡを必要とし得、無線局モデム（ＭＳＭ）上でＥＴデジタルアナログ変換器（ＤＡＣ）を必要とし得る。
【０００３】
[0003]  さらに、電力増幅器は典型的に線形方式で動作しない。より具体的には、電力増幅器ひずみは、増幅器の出力信号スイングを圧縮し得る、または拡張し得る。増幅された信号を受信および復号する信号検出器は、このような非線形の方法では一般に動作しない。したがって、増幅器の出力を線形化することが一般に必要である。このような線形化への１つのアプローチが、デジタルプレディストーションである。デジタルプレディストータは、電力増幅器特性曲線における圧縮領域を拡張すること、および拡張領域を圧縮することにより、電力増幅器ひずみ特性を逆転させるために（to invert）電力増幅器によって使用され得る。
【０００４】
[0004]  ＰＡ制御スキームおよびデジタルプレディストーションスキームの両方が、将来の信号特性の知識により利益を受けるだろう。このように、ＰＡスイッチャのための制御信号、および／またはＰＡと関連付けられたデジタルプレディストーションモジュールのための予測供給電圧を予測するシステムおよび装置が所望され得る。
【発明の概要】
【０００５】
[0005]  １つまたは複数の態様の基本的な理解を提供するために、そのような態様の簡潔な概要を以下に提示する。この概要は、意図されたすべての態様の広範な概観ではなく、すべての態様の重要なまたは決定的な要素を特定することも、任意のまたはすべての態様の範囲を詳細に説明することも意図していない。その唯一の目的は、１つまたは複数の態様のいくつかの概念を、後に提示されるより詳細な説明への前置きとして、簡潔なかたちで提示することである。
【０００６】
[0006]  様々な態様が、ＰＡのための効率を改善するための１つまたは複数の信号特性を予測することに関連して説明される。ワイヤレス通信デバイスは、電力増幅器および信号予測モジュールと関連付けられたプロセッサを含み得る。一態様において、プロセッサは、モデム、ＲＦチップ等であり得る。一例において、ワイヤレス通信デバイスは、入力信号と関連付けられた１つまたは複数の値をバッファするように構成され得る。信号予測モジュールは、１つまたは複数のバッファされた値の少なくとも一部へのシステム応答を予測し、システム応答に基づいてスイッチャ制御信号を生成するように構成され得る。信号予測モジュールはまた、入力信号と関連付けられた値から予測供給電圧を生成し得る。
【０００７】
[0007]  関連する態様によると、方法は、ＰＡのための効率を改善するために、１つまたは複数の信号特性を予測するためのメカニズムを提供する。方法は、入力信号と関連付けられた１つまたは複数の値をバッファすることを含むことができる。さらに、方法は、１つまたは複数のバッファされた値の少なくとも一部へのシステム応答を予測することを含むことができる。さらに、方法は、システム応答に基づいてスイッチャ制御信号を生成することを含むことができる。
【０００８】
[0008]  別の態様は、通信装置に関する。ワイヤレス通信装置は、入力信号と関連付けられた１つまたは複数の値をバッファするための手段を含むことができる。さらに、装置は、１つ以上のバッファされた値の少なくとも一部へのシステム応答を予測するための手段を含むことができる。さらに、装置は、システム応答に基づいてスイッチャ制御信号を生成するための手段を含むことができる。
【０００９】
[0009]  別の態様は、通信装置に関する。装置は、入力信号と関連付けられた１つまたは複数の値を保存するように構成されたバッファ、入力信号と関連付けられた１つまたは複数の値を保存のためにバッファに提供するように構成された受信モジュール、および予測モジュールを含むことができる。予測モジュールは、１つまたは複数のバッファされた値の少なくとも一部へのシステム応答を予測するように構成され得る。さらに、信号予測モジュールは、システム応答に基づいてスイッチャ制御信号を生成するように構成され得る。
【００１０】
[0010]  別の態様は、入力信号と関連付けられた１つまたは複数の値をバッファするためのコードを備えるコンピュータ読取可能な媒体を有することができる、コンピュータプログラム製品に関する。さらに、コンピュータ読取可能な媒体はまた、１つまたは複数のバッファされた値の少なくとも一部へのシステム応答を予測するためのコードを含むことができる。さらに、コンピュータ読取可能な媒体はまた、システム応答に基づいてスイッチャ制御信号を生成するためのコードを含むことができる。
【００１１】
[0011]  上述した目的および関連する目的の達成のために、１つまたは複数の態様は、明細書において後に十分に説明され、特許請求の範囲において特に指摘される特徴を備える。以下の説明および添付の図面は、１つまたは複数の態様のある特定の例示的な特徴を詳細に説明する。しかしながら、これらの特徴は、様々な態様の原理が用いられ得る様々な手法のほんの一部を示すものであり、この説明は、そのようなすべての態様およびそれらの同等物を含むことを意図する。
【図面の簡単な説明】
【００１２】
[0012]  開示される態様は、開示される態様を限定するためでなく、例示するために提供される添付図面と併せて以下に説明され、ここで、同様の表記は同様の要素を示す。
【図１】図１は、一態様による、モデムおよび電力増幅器を含む、例示的な送信機の機能ブロック図である。
【図２】図２は、一態様による、信号予測モジュールの例示的な概略図である。
【図３】図３は、一態様による、信号予測モジュール出力のグラフ表示（graphical representation）である。
【図４】図４は、一態様による、ＰＡスイッチャのための制御信号、および／またはデジタルプレディストーションモジュールのための予測供給電圧を予測することの例を説明するフローチャートである。
【図５】図５は、一態様による、通信デバイスの例示的なアーキテクチャの機能ブロック図である。
【図６】図６は、一態様による、ＰＡスイッチャのための制御信号、および／またはデジタルプレディストーションモジュールのための予測供給電圧を予測するための例示的な通信システムの機能ブロック図である。
【詳細な説明】
【００１３】
[0019]  様々な態様が、図面を参照して説明される。以下の記述において、説明の目的のために、１つまたは複数の態様の十分な理解を提供するために、多数の特定の詳細が述べられる。しかし、そのような（単数または複数の）態様は、これらの特定の詳細がなくとも実施され得ることは明らかである。
【００１４】
[0020]  モデム、ＰＡ、およびモデムおよびＰＡに結合されたＰＡスイッチャを含む送信機が、ここに説明される。ＰＡスイッチャは、モデムから、制御ライン上でスイッチャ制御信号を受信し、電力増幅器のために平滑化された供給電圧を生成し得るローパスフィルタに供給電圧を提供するために、１つまたは複数の電源経路およびグラウンド電位経路（ground voltage path）間で切り替えるように構成され得る。一態様において、スイッチ制御信号は、システム応答情報に基づいてどの経路を使用するかを指示し得る。送信機は、ワイヤレス通信デバイス、セルラ電話、携帯情報端末（ＰＤＡ）、ハンドヘルドデバイス、ワイヤレスモデム、ラップトップコンピュータ、コードレス電話、Ｂｌｕｅｔｏｏｔｈ（登録商標）デバイス、家庭用電化製品等のような、様々な電子デバイスのために使用され得る。明確にするために、ワイヤレス通信デバイスにおける送信機の使用が以下に説明される。
【００１５】
[0021]  図１は、モデム１０２およびＰＡコンポーネント１０４を有する例示的な送信機１００の機能ブロック図を示す。モデム１０２は、デジタルプレディストーション（ＤＰＤ）モジュール１０６を含み得る。ＰＡコンポーネント１０４は、供給電圧１４７をローパスフィルタ１４８に提供するように構成されたＰＡスイッチャ１４６を含み得る。ローパスフィルタ１４８は、ＰＡ１５０のために平滑化された供給電圧１４９を生成するために供給電圧を処理し得る。
【００１６】
[0022]  モデム１０２は、変調器１０８から信号１１０を受信し、信号１１０を増幅コンポーネント１１２および位相コンポーネント１１４に分割するように構成され得る、コーディネートローテーションデジタルコンピュータ（ＣＯＲＤＩＣ：coordinate rotation digital computer）コンポーネント１３６をさらに含み得る。ＤＰＤモジュール１０６は、プレディストーションされた（predistorted）振幅コンポーネント１３０およびプレディストーションされた位相コンポーネント１３４を生成するために、振幅コンポーネント１１２および位相コンポーネント１１４を処理し得る。プレディストーションされた振幅１３０および位相１３４コンポーネントは、ＣＯＲＤＩＣ１３６によって処理され、それぞれ、「Ｉ」デジタルアナログコンバータ１３８（Ｉ ＤＡＣ）および「Ｑ」ＤＡＣ１４０を使用して、アナログ信号の振幅および位相コンポーネントに変換され得る。アナログ信号コンポーネントは、無線トランシーバ（ＲＴＲ）１４２によって組み合わせられ、ＰＡ１５０に提供され得る。
【００１７】
[0023]  ＤＰＤモジュール１０６内で、振幅コンポーネント１１２は、予測エンジン１１８につながる経路（例えば、「ｂ」経路）、および振幅振幅（amplitude to amplitude）（ＡＭＡＭ）／振幅位相（amplitude to phase）（ＡＭＰＭ）ＤＰＤモジュール１２２につながる別の経路によって分割され得る。
【００１８】
[0024]  動作中、振幅コンポーネント１１２は、プレディストーションされた振幅コンポーネント１３０を生成するために、ＡＭＡＭ／ＡＭＰＭ ＤＰＤモジュール１２２を使用して処理され得る。別の態様において、位相コンポーネント１１４は、プレディストーションされた振幅コンポーネント１３４を生成するために、ＡＭＡＭ／ＡＭＰＭ ＤＰＤモジュール１２２を使用して処理され得る。
【００１９】
[0025]  別の態様において、予測エンジン１１８により受信される前に、振幅コンポーネント１１２（「ｂ」経路）と関連付けられた利得が、ＬＵＴ（例えば、ｂＬＵＴ）１１６を使用して変更され得る。予測エンジン１１８は、その後変更された振幅コンポーネント１１２を受信し得、信号１１０のための予測電圧１２０、およびＰＡスイッチャ１４６のための制御信号１４４を決定し得る。一態様において、受信されたコンポーネント１１２は、１つまたは複数の状態レジスタ値（state register value）を含み得る。一態様において、予測エンジン１１８は、時間（ｔ）において、受信されたコンポーネント１１２（例えば、Ｖ（ｋ））および境界値（ｂ（ｋ））を比較し得、任意のＶ（ｋ）がｂ（ｋ）の許容差（tol）内にある場合、予測エンジン１１８は、時間（ｔ）についての供給電圧制御信号値１４４が「１」に等しいと決定し得る（例えば、制御信号１４４は、ＰＡスイッチャ１４６に電圧供給を有する経路を使用することを要求する）。その一方で、時間ｔにおいてＶ（ｋ）が任意のｂ（ｋ）値のための許容差内に入らない場合、時間（ｔ）についての供給電圧制御信号値１４４は、「０」に等しくあり得る（例えば、制御信号１４４は、ＰＡスイッチャ１４６にグラウンド電位（voltage ground）を有する経路を使用することを要求する）。さらに、動作中、制御信号１４４は、ＰＡ１５０におけるアナログ信号の到達がローパスフィルタ１４８からの平滑化された供給電圧１４に合うように、遅延マッチ（delay match）１２６（例えば、バッファ）を通過し得る。一態様において、状態レジスタは、時間（ｔ）プラス時間増分（ｄｔ）に更新され得、予測エンジン１１８は、将来の時間のために電圧（Ｖｅ）値１２０を予測し得る（Ｖｓ（ｔ）＝０のとき、Ｖ（ｋ）＝Ｖ（ｋ＋１）−ｈ（ｋ）、Ｖｄ＝Ｖ（１）であり、Ｖｓ（ｔ）＝１のとき、Ｖ（ｋ）＝Ｖ（ｋ＋１）−ｈ（ｋ）＋ｈ（ｋ＋１）、Ｖｄ＝Ｖ（１）＋ｈ（１）である）。
【００２０】
[0026]  図２は、予測エンジン１１８のような、信号予測モジュール２００を示すブロック図であり、それは、非線形電圧増幅器と関連付けられたプレディストーションモジュールおよび／または電力増幅器スイッチャのための、（単数または複数の）見積られた供給電圧値２１２および／または（単数または複数の）制御信号２２２を生成するように構成される。
【００２１】
[0027]  信号予測モジュール２００は、インパルス関数モジュール２０４、入力電圧サンプルモジュール２０８、境界モジュール２１４、およびＰＡスイッチャ制御信号モジュール２１８を含み得る。一態様において、インパルス関数モジュール２０４は、様々な入力電圧サンプル２１０に適用され（例えば、加算および／または減算され）得る１つまたは複数のインパスル関数２０６を含み得る。そのような態様において、信号予測モジュール２００は、インパルス関数２０６の様々な入力電圧サンプル２１０への適用に基づいて、将来の供給電圧値２１２を予測し得る。一態様において、インパルス関数２０６は、グラウンド電位値が後に続くバッテリによって供給される電圧（例えば、Ｖｓ＝［Ｖｂａｔ、０、０、…、０］）に対するあらかじめ計算されたインパルス応答を提供し得る。一態様において、信号予測モジュール２００は、受信された入力信号２０２の「Ｗ」サンプルに作用するように構成され得る。そのような態様において、信号予測モジュール２００が関連付けられ得るモデムは、信号予測モジュール２００がデジタルプレディストーションモジュール（例えば、デジタルプレディストーションモジュール１０６）のための予測供給電圧を生成することを可能にするために、「Ｗ」サンプルを保存し得るバッファ（例えば、遅延マッチ１２６）を含み得る。一態様において、入力電圧サンプルモジュール２０８は、入力信号２０２の少なくとも一部を受信するように構成され得る。そのような態様において、入力電圧サンプルモジュール２０８は、信号予測モジュール２００が予測電圧値２１２を生成することを支援するために、１つまたは複数のインパルス関数２０６によって変更され得る複数のサンプル２０８を受信し得る。例えば、インパルス関数２０６は、信号が、信号サンプル２１０と関連付けられた時間において、境界値２１６の許容値２２０を下回る、および／または許容値２２０内にあり得るかどうかを予測するために、各サンプル入力信号値２１０を変更するために使用され得る。別の態様において、境界モジュール２１４は、入力サンプル２１０の各々と比較して使用される１つまたは複数の境界値を含み得る。
【００２２】
[0028]  動作中、時間「ｔ」で、「Ｗ」入力電圧サンプルの少なくとも一部（例えば、Ｖ（Ｗ−１），Ｖ（Ｗ−２）…Ｖ（１））が、様々なインパルス関数「ｈ」の使用を通じて変更され（例えば、Ｖ（Ｗ）＋ｈ（Ｗ−１）は、（Ｖ（Ｗ−１）という結果になる、等）、境界値「ｂ」（ｂ（Ｗ））と比較され得る。Ｗサンプルの各々が比較されると、ＰＡスイッチャ制御信号モジュール２１８は、サンプルのいずれかが対応する境界値２１６の許容値２２０内にあるかどうかを決定する。ＰＡスイッチャ制御信号モジュール２１８が、任意の入力電圧サンプル２１０がそれらの対応する許容値２１６の許容値２２０内にあると決定する場合、時間（ｔ）でのＰＡスイッチャ制御信号モジュール２２２は、「１」に設定され得る（例えば、制御信号はスイッチャに電圧供給を有する経路を使用するように要求する）。一方で、ＰＡスイッチャ制御信号モジュール２１８が入力電圧サンプル２１０のどれもそれらの対応する許容値２１６の許容値２２０内にないと決定する場合、時間（ｔ）でのＰＡスイッチャ制御信号モジュール２２２は、「０」に設定され得る（例えば、制御信号はスイッチャにグラウンド電位を有する経路を使用することを要求する）。さらに、入力信号と関連付けられた状態レジスタは、時間（ｔ）プラス時間「ｄｔ」で更新され得、信号予測モジュール２００は、時間「ｔ」で供給電圧Ｖｄ値を見積り得る（例えば、（Ｖｓ（ｔ）＝０のときＶ（ｋ）＝Ｖ（ｋ＋１）−ｈ（ｋ）、Ｖｄ＝Ｖ（１）、そしてＶｓ（ｔ）＝１のときＶ（ｋ）＝Ｖ（ｋ＋１）−ｈ（ｋ）＋ｈ（ｋ＋１）、Ｖｄ＝Ｖ（１）＋ｈ（１）））。
【００２３】
[0029]  図３は、一態様による、信号予測モジュール出力のグラフ表示３００を示す。
【００２４】
[0030]  グラフ表示３００は、時間をミリ秒で表しているｘ軸３０２を含む。グラフ表示３００は、さらに、信号のためのｙ軸３０４電圧値を含む。描写されたグラフにおいて、出力電圧はボルトで表される。例として、実際の供給電圧（Ｖｄ）３１０、Ｖｄ境界３０６についての曲線が、グラフ表示３００において表される。動作可能な態様において、信号予測モジュールは、供給電圧３０８を計算するためにＶｄ境界を使用し得る。さらに、計算された供給電圧３０８および／または境界電圧値３１０は、ＰＡスイッチャ制御信号を生成するために使用され得る。この制御信号は、ＰＡスイッチャがバッテリ供給電圧に関連付けられた経路を使用するべきであるときを指示し得る。「＋」サイン３１２は、ＰＡ制御信号がバッテリ供給経路を使用することを指示するであろうときにインスタンスを指示する。
【００２５】
[0031]  このように、例示的な態様において、実際の供給電圧３１０と関連付けられたＶｄ境界３０８は、予測供給電圧３０８およびまたはＰＡスイッチャ制御信号３１２を計算することを支援するために使用され得る。
【００２６】
[0032]  図４は、提示される主題の様々な態様による方法論を示す。方法論は、説明を簡潔にする目的で、一連の動作またはシーケンスステップとして示され、説明されているが、いくつかの動作は、ここに説明され、示されるものとは異なる順序で生じ、および／または他の動作と同時並行に生じ得るので、特許請求される主題は、動作の順序によって限定されないことが理解および認識されるべきである。例えば、当業者であれば、方法論が、状態図におけるような一連の相互関係がある状態またはイベントとして代替的に表され得ることを理解および認識するであろう。さらに、特許請求される主題にしたがって方法論を実現するために、すべての例示された動作が必要とされ得るわけではない。加えて、以下および本明細書の全体にわたって開示される方法論は、このような方法論をコンピュータにトランスポートすることおよび伝送することを容易にするために、製造品上に記憶されることが可能であることが、さらに認識されるべきである。ここで使用される場合、製造品という用語は、任意のコンピュータ読取可能なデバイス、キャリア、または媒体からアクセス可能なコンピュータプログラムを包含するように意図される。
【００２７】
[0033]  図４は、ＰＡスイッチャのための制御信号、および／またはデジタルプレディストーションモジュールのための予測供給電圧を予測するための方法を説明するフローチャート４００を示す。
【００２８】
[0034]  ブロック４０２において、信号予測モジュールは、振幅および位相電圧コンポーネントを有する入力信号を受信し得る。一態様において、信号予測モジュールは、バッファにおける入力信号と関連付けられた値（例えば、振幅および／または位相）を保存し得る。ここに使用されるように、状態レジスタ値は、第１の状態としての時間「ｔ」における電圧値（Ｖ（ｔ））、および第２の状態としての係数
【数１】
0006301344.tif 000002
【００２９】
により乗算される時間「ｔ」における電圧の導関数（Ｖ’（ｔ））であり得る。このような態様において、βは
【数２】
0006301344.tif 000003
【００３０】
によって特徴付けられる状態「ｓ」根関数（root function）を有する入力信号のコンポーネントであり得る。一態様において、１つまたは複数の状態レジスタ値は入力信号と関連付けられ得る。このような態様において、状態レジスタ値は、供給電圧予測の間使用するための状態レジスタを更新することを支援し得る、１つまたは複数の係数を含み得る。さらに、１つまたは複数の係数は、状態レジスタ値の進行中の（例えば、リアルタイム）更新を可能にするためにさらにバッファされ得る。
【００３１】
[0035]  ブロック４０４において、信号予測モジュールは、（単数または複数の）受信およびバッファされた値への（単数または複数の）システム応答を予測し得る。一態様において、信号予測モジュールは、（単数または複数の）見積られた供給電圧値を生成するためにインパルス関数を使用することによって、システム応答（単数または複数）を予測し得る。一態様において、信号予測モジュールは、第１および第２の状態関数の各々に異なるインパルス関数を使用し得る。さらに、システム応答を予測する一部として、信号予測モジュールは、１つまたは複数の見積られた供給電圧値の各々を対応する境界値と比較し、１つまたは複数の見積られた供給電圧値のいずれかの見積られた供給電圧値が対応する境界値の許容しきい値内にあるかどうかを決定し得る。
【００３２】
[0036]  ブロック４０６において、信号予測モジュールは、システム応答に基づいてスイッチャ制御信号を生成し得る。一態様において、スイッチャ制御信号は、電力増幅器に１つまたは複数の電源経路を使用することを要求するデジタルビット値を含み得る。別の態様において、スイッチャ制御信号は、電力増幅器スイッチャにグラウンド電位経路を使用することを要求するデジタルビット値を含み得る。例えば、ＰＡスイッチャ制御信号は、見積られた供給電圧値のいずれかがそれらの対応する境界値の許容しきい値にあるとき、ＰＡスイッチャに電源（例えば、バッテリ）経路を使用することを要求する、第１の値（例えば、「１」）を、および／または見積られた供給電圧値のどれもそれらの対応する境界値の許容しきい値にないとき、スイッチャにグラウンドソース経路を使用することを要求する、第２の値「０」を含み得る。
【００３３】
[0037]  動作可能な態様において、ブロック４０８において、信号予測モジュールは生成されたスイッチャ制御信号をＰＡスイッチャに提供し得る。
【００３４】
[0038]  別の動作可能な態様において、ブロック４１０において、信号予測モジュールは１つまたは複数の見積られた供給電圧値から予測供給電圧値を生成し得る。このような態様において、予測供給電圧はプレディストーションモジュールによって使用され得る。一態様において、バッファはＷ個の連続したサンプル値が保存されることを可能にするのに十分大きくあり得る。このような態様において、Ｗ個の連続したサンプル値は（単数または複数の）見積られた供給電圧値を生成するために使用され得る。別の態様において、バッファは、入力信号と関連付けられたＮ個のチェックポイントが（単数または複数の）見積られた供給電圧値を生成することを可能にするのに十分大きくあり得る。
【００３５】
[0039]  このような動作可能な態様において、ブロック４１２において、信号予測モジュールは生成された予測供給電圧をプレディストーションモジュールに提供し得る。
【００３６】
[0040]  図５は、無線デバイス５００の例示的なアーキテクチャを示す。図５に図示されるように、通信デバイス５００は、例えば、受信アンテナ（図示せず）から信号を受信し、受信された信号に対して典型的な動作（例えば、フィルタ、増幅、ダウンコンバート等）を実行し、調整された信号をデジタル化してサンプルを取得する、受信機５０２を含む。受信機５０２は、受信されたシンボルを復調し、チャネル推定のためにプロセッサ５０６にそれらを供給することができる復調器５０４を含むことができる。プロセッサ５０６は、受信機５０２によって受信された情報を分析すること、および／または、送信機５２０による送信のための情報を生成すること専用のプロセッサ、通信デバイス５００の１つまたは複数のコンポーネントを制御するプロセッサ、および／または、受信機５０２によって受信された情報を分析し、送信機５２０による送信のための情報を生成することと、通信デバイス５００の１つまたは複数のコンポーネントを制御することとの両方を行うプロセッサであることができる。さらに、信号は、プロセッサ５０６によって処理された信号を変調し得る変調器５１８を通じて、送信機５２０による送信のために準備され得る。
【００３７】
[0041]  通信デバイス５００は、プロセッサ５０６に動作可能に結合され、送信されるデータ、受信されたデータ、利用可能なチャネルに関連する情報、ＴＣＰフロー、分析された信号および／または干渉強度と関連付けられたデータ、割り当てられたチャネル、電力、レートなどと関連する情報、およびチャネルを推定し、チャネルを介して通信する任意の他の適切な情報を格納し得るメモリ５０８をさらに含むことができる。通信デバイス５００は、電力供給（例えば、バッテリ５３０、電力供給インターフェース等）をさらに含むことができる。
【００３８】
[0042]  さらに、プロセッサ５０６または送信機５２０の少なくとも１つは、入力信号と関連付けられた１つまたは複数の値をバッファするための手段と、１つまたは複数のバッファされた値の少なくとも一部へのシステム応答を予測するための手段と、システム応答に基づいてスイッチャ制御信号を生成するための手段と、を含むことができる。
【００３９】
[0043]  ここで説明されるデータ記憶装置（たとえば、メモリ５０８）は、揮発性メモリまたは不揮発性メモリのいずれかであることができること、または揮発性と不揮発性メモリの両方を含むことができるということが理解されるだろう。限定ではなく例として、不揮発性メモリは、読取専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ（登録商標））、またはフラッシュメモリを含むことができる。揮発性メモリは、外部キャッシュメモリとして動作するランダムアクセスメモリ（ＲＡＭ）を含むことができる。限定ではなく例として、ＲＡＭは、シンクロナスＲＡＭ（ＳＲＡＭ）、ダイナミックＲＡＭ（ＤＲＡＭ）、シンクロナスＤＲＡＭ（ＳＤＲＡＭ）、ダブルデータレートＳＤＲＡＭ（ＤＤＲ ＳＤＲＡＭ）、エンハンストＳＤＲＡＭ（ＥＳＤＲＡＭ）、シンクリンクＤＲＡＭ（ＳＬＤＲＡＭ）、およびダイレクトラムバスＲＡＭ（ＤＲＲＡＭ）などの多くの形態で利用可能である。主題のシステムおよび方法のメモリ５０８は、それに限定されることなく、これらのタイプのメモリおよび任意のその他の適切なタイプのメモリを備え得る。
【００４０】
[0044]  通信デバイス５００送信機５２０は、モデム５２２および電力増幅器５３０を含み得る。一態様において、電力増幅器５３０は、グラウンドソース経路またはバッテリ５５０ソース経路から電力増幅器５３０に供給電圧を提供するように構成されるＰＡスイッチャ５３２を含み得る。一態様において、ＰＡスイッチャは、ＰＡスイッチャ５３２にバッテリ５５０供給経路またはグラウンド供給経路のいずれかを使用することを要求する信号予測モジュール５２４からＰＡスイッチャ制御信号５２８を受信し得る。一態様において、モデム５２２は、送信機５２０の電力増幅器５３０を通じた効率的な送信を支援するための入力信号の様々な特性を予測するように構成され得る信号予測モジュール５２４を含み得る。信号予測モジュール５２４は、インパルス応答関数モジュール５２５および境界モジュール５２７をさらに含み得る。一態様において、インパルス応答関数モジュール５２５および境界モジュール５２７は、１つまたは複数の入力信号サンプルの変更および／または比較のために使用され得る。例えば、入力信号サンプルは、予測供給電圧５２６を生成するために１つまたは複数のインパルス応答関数に基づいて変更され得る。別の例において、入力信号サンプル値の１つまたは複数の境界値との比較は、信号予測モジュール５２４がＰＡスイッチャ制御信号５２８を生成することを支援し得る。
【００４１】
[0045]  動作可能な態様において、信号予測モジュール５２４は、式（２）に示される根（root）を伴う式（１）に示されるように、二次システム（second order system）により特徴づけられることができる入力信号を処理し得る。
【数３】
0006301344.tif 000004
【００４２】
[0046]  上記の式に関して、Ｌはシステムの導体値（system conductor value）を表し、Ｃはシステムの容量値を表し、Ｒはシステムの抵抗値を表す。ステップ応答は、式（３）において表されることができ、ここで時間「ｔ」における電圧は、状態関数として扱われることができる。
【数４】
0006301344.tif 000005
【００４３】
[0047]  さらに、異なるインパルス関数（例えば、ｇ（ｋ）および／またはｈ（ｋ））は、式（４）に示されるように、状態関数に更新を提供するために、式（３）に適用され得る。
【数５】
0006301344.tif 000006
【００４４】
[0048]  式（４）において、ｇ（ｋ）は、
【数６】
0006301344.tif 000007
【００４５】
のＶｓ＝［Ｖｂａｔ，０，…，０］へのインパルス応答関数である。一方で、ｈ（ｋ）は、Ｖ（ｔ）のＶｓ＝［Ｖｂａｔ，０，…，０］へのインパルス応答関数である。モデム５２２内の様々なインタラクションのさらなる説明が、図１および２に関連して上記に提供される。
【００４６】
[0049]  加えて、通信デバイス５００は、ユーザインタフェース５４０を含むことができる。ユーザインタフェース５４０は、通信デバイス５００への入力を生成させるための入力メカニズム５４２と、通信デバイス５００のユーザによる消費のための情報を生成させるための出力メカニズム５４４とを含みうる。例えば、入力メカニズム５４２は、キーまたはキーボード、マウス、タッチスクリーンディスプレイ、マイクロフォン等のようなメカニズムを含み得る。さらに、例えば、出力メカニズム５４４は、ディスプレイ、オーディオスピーカ、触覚フィードバックメカニズム等を含み得る。例示される態様では、出力メカニズム５４４は、画像またはビデオ形式のメディアコンテンツを提示するように構成されたディスプレイ、またはオーディオ形式のメディアコンテンツを提示するためのオーディオスピーカを含み得る。
【００４７】
[0050]  図６を参照すると、ＰＡスイッチャのための制御信号、および／またはデジタルプレディストーションモジュールのための予測供給電圧を予測する装置６００は、送信機内に少なくとも部分的に存在することができる。装置６００は、プロセッサ、ソフトウェア、またはこれらの組み合わせ（例えば、ファームウェア）によって実現される機能を表すことができる、機能ブロックを含むものとして表されることが理解されるべきである。
【００４８】
[0051]  このように、装置６００は、連携して動作し得る電気コンポーネントの論理グループ６０２を含む。例えば、論理グループ６０２は、入力信号と関連付けられた１つまたは複数の値をバッファするための手段を含むことができる（ブロック６０４）。一態様において、バッファするための手段６０４は、入力信号と関連付けられた１つまたは複数の状態レジスタ値を受信するように構成され得る。一態様において、バッファするための手段６０４は、入力信号の２つまたはそれ以上の連続したサンプル値を受信するように構成され得る。別の態様において、バッファするための手段６０４は、バッファに保存される入力信号の少なくとも１つの主要なピークに１つの谷を与える充分な複数の連続したサンプル値を受信するように構成され得る。例えば、一態様において、手段６０４は、通信デバイス５００のモデム５２２およびメモリ５０８、および／または通信デバイス５００のプロセッサ５０６を含むことができる。
【００４９】
[0052]  さらに、論理グループ６０２は、１つまたは複数のバッファされた値の少なくとも一部へのシステム応答を予測するための手段を含むことができる（ブロック６０６）。一態様において、予測するための手段６０６は、入力信号と関連付けられたバッファされた１つまたは複数の値に少なくとも部分的に基づいて１つまたは複数の見積られた供給電圧値を生成するためにインパルス関数を使用し、１つまたは複数の見積られた供給電圧値の各々を対応する境界値と比較し、１つまたは複数の供給電圧値のいずれかの見積られた供給電圧値が対応する境界値の許容しきい値内にあるかどうかを決定するように構成され得る。例えば、一態様において、使用するための手段６０６は、通信デバイス５００のモデム５２２、信号予測モジュール５２４、および／またはインパルス応答関数モジュール５２５、および／または通信デバイス５００のプロセッサ５０６を含むことができる。
【００５０】
[0053]  さらに、論理グループ６０２は、システム応答に基づいてスイッチャ制御信号を生成するための手段を含むことができる（ブロック６０８）。一態様において、スイッチャ制御信号は、電力増幅器スイッチャに１つまたは複数の電源経路を使用することを要求するデジタルビット値を含み得る。別の態様において、スイッチャ制御信号は、電力増幅器スイッチャにグラウンド電位経路を使用することを要求するデジタルビット値を含み得る。一態様において、生成するための手段６０８は、入力信号と関連付けられた１つまたは複数の値から予測供給電圧を生成するようにさらに構成され得る。一態様において、生成するための手段６０８は、予測供給電圧を生成するために入力信号の２つまたはそれ以上の連続したサンプル値を使用するようにさらに構成され得る。例えば、一態様において、生成するための手段６０８は、通信デバイス５００のモデム５２２および／または信号予測モジュール５２４、および／または通信デバイス５００のプロセッサ５０６を含むことができる。
【００５１】
[0054]  動作可能な態様において、論理グループ６０２は、プロセッサと関連付けられたコンポーネントに１つまたは複数の生成されたアイテムを提供するための手段を含むことができる（ブロック６１０）。一態様において、プロセッサは、モデム、ＲＦチップ等と関連付けられ得る。一態様において、提供するための手段６１４は、スイッチャ制御信号を電力増幅器と関連付けられた電力増幅器スイッチャに提供する、提供するための手段６１４を含み得る。別の態様において、提供するための手段６１４は、予測供給電圧をプレディストーションモジュールに提供する、提供するための手段６１４を含み得る。例えば、一態様において、提供するための手段６１４は、通信デバイス５００のモデム５２２および／または信号予測モジュール５２４、および／または通信デバイス５００のプロセッサ５０６を含むことができる。
【００５２】
[0055]  さらに、装置６００は、電気コンポーネント６０４、６０６、６０８、および６１０に関連付けられた機能を実行するための命令を保持するメモリ６１２を含むことができる。メモリ６１２の外部に示されているが、電気コンポーネント６０４、６０６、６０８、および６１０のうちの１つまたは複数は、メモリ６１２内に存在することができることが理解されるべきである。一態様において、例えば、メモリ６１２はメモリ５０８（図５）と同一または同様であり得る。
【００５３】
[0056]  本願で使用される場合、「コンポーネント」、「モジュール」、「システム」等の用語は、それに限定されるものではないが、ハードウェア、ファームウェア、ハードウェアとソフトウェアの組み合わせ、ソフトウェア、または実行中のソフトウェアのような、コンピュータ関連エンティティを含むように意図される。例えば、コンポーネントは、プロセッサ上で実行中の処理、プロセッサ、オブジェクト、実行ファイル、実行のスレッド、プログラム、および／またはコンピュータであり得るが、それらに限定はされない。例として、コンピューティングデバイスで実行中のアプリケーションとコンピューティングデバイスの両方が、コンポーネントであることができる。１つまたは複数のコンポーネントが、プロセスおよび／または実行スレッド内に存在することができ、１つのコンポーネントが、１つのコンピュータでローカライズされること、および／または、２つまたはそれ以上のコンピュータ間で分散されることができる。加えて、これらのコンポーネントは、その上に記憶された様々なデータ構造を有する様々なコンピュータ読取可能な媒体から実行されることができる。これらコンポーネントは、信号によって、他のシステムを備えたインターネットのようなネットワークを介して別のコンポーネントと対話する１つのコンポーネントからのデータ、および／または、ローカルシステムや分散システム内の別のコンポーネントと対話する１つのコンポーネントからのデータのような、１つまたは複数のデータパケットを有する信号にしたがって、ローカル処理および／またはリモート処理によって通信し得る。
【００５４】
[0057]  さらに、様々な態様が有線端末またはワイヤレス端末であることができる端末に関連してここで説明される。端末は、システム、デバイス、加入者ユニット、加入者局、移動局、移動体、モバイルデバイス、遠隔局、遠隔端末、アクセス端末、ユーザ端末、端末、通信デバイス、ユーザエージェント、ユーザデバイス、またはユーザ機器（ＵＥ）とも呼ばれることができる。ワイヤレス端末は、セルラ電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、または、ワイヤレスモデムに接続されたその他の処理デバイスであり得る。さらに、本明細書では、様々な態様が、基地局に関して説明される。基地局は、ワイヤレス端末（単数または複数）と通信するために利用され得、アクセスポイント、ノードＢ、またはその他いくつかの用語でも称され得る。
【００５５】
[0058]  さらに、用語「または」は、排他的な「または」ではなく、包括的な「または」を意味するように意図されている。つまり、特に指定されない、または、文脈から明らかではない場合、句「ＸはＡまたはＢを使用する」は、自然な包括的な置き換えのうちのいずれかを意味することが意図される。つまり、「ＸはＡまたはＢを使用する」という句は、ＸがＡを使用する場合、ＸがＢを使用する場合、またはＸがＡとＢの両方を使用する場合のいずれによっても満たされる。さらに、本出願および添付の特許請求の範囲で使用される冠詞「ａ」および「ａｎ」は、別段の規定がない限り、または単数形を示すことが文脈から明白でない限り、一般的に「１つまたは複数」を意味するものと解釈されるべきである。
【００５６】
[0059]  ここで説明される技法は、ＣＤＭＡ、ＴＤＭＡ、ＦＤＭＡ、ＯＦＤＭＡ、ＳＣ−ＦＤＭＡおよび他のシステムのような様々なワイヤレス通信システムに関して使用され得る。用語「システム」および「ネットワーク」は、しばしば区別なく用いられている。ＣＤＭＡシステムは、ユニバーサル地上無線アクセス（ＵＴＲＡ）、ｃｄｍａ２０００等のような無線技術を実現し得る。ＵＴＲＡは、広帯域ＣＤＭＡ（Ｗ−ＣＤＭＡ（登録商標））およびＣＤＭＡのその他の変形を含む。さらに、ｃｄｍａ２０００は、ＩＳ−２０００規格、ＩＳ−９５規格、およびＩＳ−８５６規格をカバーする。ＴＤＭＡシステムは、グローバル移動体通信システム（ＧＳＭ）（登録商標）のような無線技術を実現し得る。ＯＦＤＭＡシステムは、発展型ＵＴＲＡ（Ｅ−ＵＴＲＡ）、ウルトラモバイルブロードバンド（ＵＭＢ）、ＩＥＥＥ ８０２．１１（Ｗｉ−Ｆｉ（登録商標））、ＩＥＥＥ ８０２．１６（ＷｉＭＡＸ（登録商標））、ＩＥＥＥ ８０２．２０、フラッシュ−ＯＦＤＭＡ（登録商標）等のような無線技術を実現し得る。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）は、Ｅ−ＵＴＲＡを使用するＵＭＴＳのリリースであり、これは、ダウンリンク上でＯＦＤＭＡを、アップリンク上でＳＣ−ＦＤＭＡを使用する。ＵＴＲＡ、Ｅ−ＵＴＲＡ、ＵＭＴＳ、ＬＴＥおよびＧＭＳは、「第３世代パートナシッププロジェクト」（３ＧＰＰ）と名付けられた機関からの文書に説明されている。さらに、ｃｄｍａ２０００およびＵＭＢは、「第３世代パートナシッププロジェクト２」（３ＧＰＰ２）と名付けられた機関からの文書に説明されている。さらに、このようなワイヤレス通信システムは、対でないライセンスされていないスペクトル、８０２．ｘｘワイヤレスＬＡＮ、ＢＬＵＥＴＯＯＴＨ（登録商標）、および他の何らかの短距離または長距離のワイヤレス通信技法をしばしば使用しているピアツーピア（例えば、モバイルツーモバイル）のアドホックネットワークシステムをさらに含み得る。
【００５７】
[0060]  様々な態様または特徴は、多くのデバイス、コンポーネント、モジュール、および同等のものを含み得るシステムの観点から提示される。様々なシステムは、追加のデバイス、コンポーネント、モジュール等を含み得、および／または図面に関して説明されたデバイス、コンポーネント、モジュール等のすべてを含まなくてもよいことが理解および認識されるべきである。これらのアプローチの組み合わせも使用され得る。
【００５８】
[0061]  本明細書に開示された実施形態に関連して説明されている様々な例示的な論理、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、離散ゲートまたはトランジスタ論理、離散ハードウェアコンポーネント、または本明細書に説明されている機能を実行するために設計された、それらの任意の組み合わせで実現または実行され得る。汎用プロセッサはマイクロプロセッサであり得るが、代替で、プロセッサは任意の従来のプロセッサ、コントローラ、マイクロコントローラ、もしくはステートマシンであり得る。プロセッサはまた、コンピューティングデバイスの組み合わせ、たとえば、ＤＳＰとマイクロプロセッサとの組み合わせ、複数のマイクロプロセッサ、ＤＳＰコアと結合された１つまたは複数のマイクロプロセッサ、または任意の他のそのような構成として、実現されることもできる。さらに、少なくとも１つのプロセッサは、上述されたステップおよび／または動作の１つまたは複数を実行するように動作可能な１つまたは複数のモジュールを含み得る。
【００５９】
[0062]  さらに、本明細書で開示された態様に関連して説明されている方法またはアルゴリズムのステップおよび／または動作は、直接ハードウェア、プロセッサによって実行されるソフトウェアモジュール、または２つの組み合わせにおいて具体化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバルディスク、ＣＤ−ＲＯＭ、または当該技術分野において周知のその他任意の形状の記憶媒体内に存在し得る。例示的な記憶媒体は、プロセッサが記憶媒体から情報を読み取り、記憶媒体に情報を書き込むことができるように、プロセッサに結合され得る。あるいは、記憶媒体は、プロセッサに組み込まれ得る。さらに、いくつかの態様では、プロセッサおよび記憶媒体は、ＡＳＩＣ内に存在し得る。さらに、ＡＳＩＣは、ユーザ端末内に存在し得る。代替において、プロセッサおよび記憶媒体は、ユーザ端末内にディスクリートコンポーネントとして存在し得る。さらに、いくつかの態様では、方法またはアルゴリズムのステップおよび/または動作は、コンピュータプログラム製品に組み込まれ得る、機械読取可能な媒体および/またはコンピュータ読取可能な媒体上のコードおよび/または命令の1つまたは任意の組み合わせ、あるいはそのセットとして存在し得る。
【００６０】
[0063]  １つまたは複数の態様において、説明されている機能は、ハードウェア、ソフトウェア、ファームウェア、またはそれらの任意の組み合わせで実現され得る。ソフトウェアで実現される場合、これら機能は、コンピュータ読取可能な媒体上で、１つまたは複数の命令またはコードとして送信または記憶され得る。コンピュータ読取可能な媒体は、ある場所から別の場所へのコンピュータプログラムの転送を容易にする任意の媒体を含む通信媒体とコンピュータ記憶媒体との両方を含む。記憶媒体は、コンピュータによってアクセスされることができる何らかの利用可能な媒体であり得る。限定ではなく例として、そのようなコンピュータ読取可能な媒体は、ＲＡＭ、ＲＯＭ、ＥＥＰＲＯＭ、ＣＤ−ＲＯＭ、または他の光ディスク記憶装置、磁気ディスク記憶装置、または他の磁気記憶デバイス、または、命令またはデータ構造の形態で所望のプログラムコードを搬送または記憶するために使用されることができ、およびコンピュータによってアクセスされることができる、任意の他の媒体を含むことができる。また、任意の接続も、コンピュータ読取可能な媒体と称され得る。例えば、ソフトウェアが、ウェブサイト、サーバ、または他のリモートソースから、同軸ケーブル、光ファイバーケーブル、ツイストペア、デジタル加入者回線（ＤＳＬ）、または赤外線、無線、およびマイクロ波のようなワイヤレス技術を使用して伝送される場合、同軸ケーブル、光ファイバーケーブル、ツイストペア、ＤＳＬ、または赤外線、無線、およびマイクロ波のようなワイヤレス技術は、媒体の定義に含まれる。ここで使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスクおよびブルーレイ（登録商標）ディスクを含み、ここでディスク（disk）は、通常磁気的にデータを再生し、一方ディスク（disc）は、レーザーを用いて光学的にデータを再生する。上記の組み合わせは、また、コンピュータ読取可能な媒体の範囲内に含まれるべきである。
【００６１】
[0064]  前述の開示は、例示的な態様および／または実施形態を論じているが、本明細書において様々な変化および変更が、添付の特許請求の範囲において定義されているような記述される態様及び／もしくは実施形態の範囲から逸脱することなくなされ得ることが、留意されるべきである。さらに、説明されている態様および／または実施形態の要素は、単数形で記載または特許請求され得るが、単数形に対する限定が明確に述べられていない限り、複数形が意図される。さらに、そうではないと述べられていない限り、任意の態様および／または実施形態のすべてまたは一部が、任意の他の態様および/または実施形態のすべてまたは一部とともに利用され得る。
以下に本願の出願当初の特許請求の範囲に記載された発明を付記する。
[Ｃ１]  入力信号と関連付けられた１つまたは複数の値をバッファすることと、
前記１つまたは複数のバッファされた値の少なくとも一部へのシステム応答を予測することと、
前記システム応答に基づいてスイッチャ制御信号を生成することと、
を備える、通信の方法。
[Ｃ２]  前記システム応答を予測することは、
１つまたは複数の見積られた供給電圧値を生成するためのシステム構成に基づいて応答関数を使用すること、ここにおいて、前記システムは、ローパスフィルタおよびＰＡを含む、と、
前記入力信号と関連付けられた前記バッファされた１つまたは複数の値に少なくとも部分的に基づく前記１つまたは複数の見積られた供給電圧値の各々を、対応する境界値と比較することと、
前記１つまたは複数の見積られた供給電圧値のいずれかの見積られた供給電圧値が、前記対応する境界値の許容しきい値内にあるかどうかを決定することと、
をさらに備える、Ｃ１に記載の方法。
[Ｃ３]  前記生成することは、前記１つまたは複数の見積られた供給電圧値のいずれかが前記対応する境界値の許容しきい値内にあるとの決定に基づいて、電力増幅器スイッチャに電源経路を使用することを要求するデジタルビット値を有する前記スイッチャ制御信号を生成することをさらに備える、Ｃ２に記載の方法。
[Ｃ４]  前記生成することは、前記１つまたは複数の見積られた供給電圧値のどれも前記対応する境界値の許容しきい値内にないとの決定に基づいて、前記電力増幅器スイッチにグラウンドソース経路を使用することを要求する値を有するスイッチャ制御信号を生成することをさらに備える、Ｃ２に記載の方法。
[Ｃ５]  前記スイッチャ制御信号を前記電力増幅器スイッチャに提供すること、
をさらに備える、Ｃ１に記載の方法。
[Ｃ６]  １つまたは複数の状態レジスタ値によってシステム状態を追跡することをさらに備え、ここで前記システムは、ローパスフィルタおよびＰＡを含む、Ｃ１に記載の方法。
[Ｃ７]  前記入力信号と関連付けられた前記１つまたは複数の値から予測供給電圧を生成することと、
前記予測供給電圧をプレディストーションモジュールに提供することと、
をさらに備える、Ｃ１に記載の方法。
[Ｃ８]  前記バッファに保存される前記入力信号の少なくとも１つの主要なピークに１つの谷を与える十分な複数の連続したサンプル値を受信することをさらに備える、Ｃ７に記載の方法。
[Ｃ９]  入力信号と関連付けられた１つまたは複数の値を保存するように構成されたバッファと、
前記入力信号と関連付けられた前記１つまたは複数の値をバッファするように構成された受信モジュールと、
予測モジュールであって、
前記１つまたは複数のバッファされた値の少なくとも一部へのシステム応答を予測し、
前記システム応答に基づいてスイッチャ制御信号を生成する、
ように構成される予測モジュールと、
を備える、装置。
[Ｃ１０]  前記予測モジュールは、
１つまたは複数の見積られた供給電圧値を生成するためのシステム構成に基づいて応答関数を使用し、ここにおいて、前記システムは、ローパスフィルタおよびＰＡを含む、
前記入力信号と関連付けられた前記バッファされた１つまたは複数の値に少なくとも部分的に基づく、前記１つまたは複数の見積られた供給電圧値の各々を、対応する境界値と比較し、
前記１つまたは複数の見積られた供給電圧値のいずれかの見積られた供給電圧値が、前記対応する境界値の許容しきい値内にあるかどうかを決定する、
ようにさらに構成される、Ｃ９に記載の装置。
[Ｃ１１]  前記予測モジュールは、前記１つまたは複数の見積られた供給電圧値のいずれかが前記対応する境界値の許容しきい値内にあるとの決定に基づいて、電力増幅器スイッチャに電源経路を使用することを要求するデジタルビット値を有する前記スイッチャ制御信号を生成するようにさらに構成される、Ｃ１０に記載の装置。
[Ｃ１２]  前記予測モジュールは、前記１つまたは複数の見積られた供給電圧値のどれも前記対応する境界値の許容しきい値内にないとの決定に基づいて、前記電力増幅器スイッチにグラウンドソース経路を使用することを要求する値を有するスイッチャ制御信号を生成するようにさらに構成される、Ｃ１０に記載の装置。
[Ｃ１３]  前記予測モジュールは、前記スイッチャ制御信号を前記電力増幅器スイッチャに提供するようにさらに構成される、Ｃ９に記載の装置。
[Ｃ１４]  前記受信モジュールは、１つまたは複数の状態レジスタ値によってシステム状態を追跡するようにさらに構成され、ここにおいて、前記システムは、ローパスフィルタおよびＰＡを含む、Ｃ９に記載の装置。
[Ｃ１５]  前記予測モジュールは、
前記入力信号と関連付けられた前記１つまたは複数の値から予測供給電圧を生成し、
前記予測供給電圧をプレディストーションモジュールに提供する、
ようにさらに構成される、Ｃ９に記載の装置。
[Ｃ１６]  前記受信モジュールは、前記バッファに保存される前記入力信号の少なくとも１つの主要なピークに１つの谷を与える十分な複数の連続したサンプル値をバッファするようにさらに構成される、Ｃ１５に記載の装置。
[Ｃ１７]  入力信号と関連付けられた１つまたは複数の値をバッファするための手段と、
前記１つまたは複数のバッファされた値の少なくとも一部へのシステム応答を予測するための手段と、
前記システム応答に基づいてスイッチャ制御信号を生成するための手段と、
を備える、通信の装置。
[Ｃ１８]  前記システム応答を予測するための手段は、
１つまたは複数の見積られた供給電圧値を生成するためのシステム構成に基づいて応答関数を使用し、ここで前記システムは、ローパスフィルタおよびＰＡを含む、
前記入力信号と関連付けられた前記バッファされた１つまたは複数の値に少なくとも部分的に基づく、前記１つまたは複数の見積られた供給電圧値の各々を、対応する境界値と比較し、
前記１つまたは複数の見積られた供給電圧値のいずれかの見積られた供給電圧値が、前記対応する境界値の許容しきい値内にあるかどうかを決定する、
ように構成される、Ｃ１７に記載の装置。
[Ｃ１９]  前記システム応答を予測するための手段は、前記１つまたは複数の見積られた供給電圧値のいずれかが前記対応する境界値の許容しきい値内にあるとの決定に基づいて、電力増幅器スイッチャに電源経路を使用することを要求するデジタルビット値を有する前記スイッチャ制御信号を生成するように構成される、Ｃ１８に記載の装置。
[Ｃ２０]  前記システム応答を予測するための手段は、前記１つまたは複数の見積られた供給電圧値のどれも前記対応する境界値の許容しきい値内にないとの決定に基づいて、前記電力増幅器スイッチにグラウンドソース経路を使用することを要求する値を有するスイッチャ制御信号を生成するように構成される、Ｃ１８に記載の装置。
[Ｃ２１]  前記スイッチャ制御信号を前記電力増幅器スイッチャに提供するための手段、
をさらに備える、Ｃ１７に記載の装置。
[Ｃ２２]  前記バッファするための手段は、１つまたは複数の状態レジスタ値によってシステム状態を追跡するようにさらに構成され、ここにおいて、前記システムは、ローパスフィルタおよびＰＡを含む、Ｃ１７に記載の装置。
[Ｃ２３]  前記予測するための手段は、
前記入力信号と関連付けられた前記１つまたは複数の値から予測供給電圧を生成し、
前記予測供給電圧をプレディストーションモジュールに提供する、
ようにさらに構成される、Ｃ１７に記載の装置。
[Ｃ２４]  前記バッファするための手段は、前記バッファに保存される前記入力信号の少なくとも１つの主要なピークに１つの谷を与える十分な複数の連続したサンプル値を受信するようにさらに構成される、Ｃ２３に記載の装置。
[Ｃ２５]    入力信号と関連付けられた１つまたは複数の値を、バッファに受信することと、
前記１つまたは複数のバッファされた値の少なくとも一部へのシステム応答を予測することと、
前記システム応答に基づいてスイッチャ制御信号を生成することと、
のためのコードを備えるコンピュータ読取可能な媒体を備える、コンピュータプログラム製品。
【図１】
0006301344.tif 000008
【図２】
0006301344.tif 000009
【図３】
0006301344.tif 000010
【図４】
0006301344.tif 000011
【図５】
0006301344.tif 000012
【図６】
0006301344.tif 000013